(57)【要約】【課題】緩衝材の使用量を減らすことができる、便座構造を提供する。【解決手段】便座構造１は、便座本体２の上半部を形成する上側便座部材２１と、便座本体２の下半部を形成する下側便座部材２２と、を備える。便座構造１は、上側便座部材２１の裏面に固定されるヒータ３を備える。便座構造１は、ヒータ３の裏面に固定される緩衝材４と、上側便座部材２１を支持する支持部材５と、を備える。便座構造１は、上側便座部材２１の両端と支持部材５の両端は、下側便座部材２２の両端と接合される。緩衝材４は、前記裏面にヒータ３が固定された上側便座部材２１の裏側で、上側便座部材２１と支持部材５との間の内周端部及び外周端部からなる緩衝材４の非設置部６１を除く部分に固定される。上側便座部材２１と支持部材５との間で、非設置部６１に空気層が形成されることを特徴とする。【選択図】図１
2015104420.tif 000002
【特許請求の範囲】
【請求項１】
便座本体の上半部を形成する上側便座部材と、
前記便座本体の下半部を形成する下側便座部材と、
前記上側便座部材の裏面に固定されるヒータと、
前記ヒータの裏面側に固定される緩衝材と、
前記上側便座部材を支持する支持部材と、を備え、
前記上側便座部材の両端と前記支持部材の両端は、前記下側便座部材の両端と接合される便座構造であって、
前記緩衝材は、前記裏面に前記ヒータが固定された前記上側便座部材の裏側で、前記上側便座部材と前記支持部材との間の内周端部及び外周端部からなる前記緩衝材の非設置部を除く部分に固定され、
前記上側便座部材と前記支持部材との間で、前記非設置部に空気層が形成されることを特徴とする便座構造。
【請求項２】
前記緩衝材は、前記ヒータからの熱が前記支持部材へ伝導するのを抑制する材質で形成されることを特徴とする請求項１記載の便座構造。
【発明の詳細な説明】
【技術分野】
【０００１】
本発明は、便座構造に関するものである。
【背景技術】
【０００２】
従来から、下側便座部材と、支持部材と、緩衝材と、ヒータと、上側便座部材と、を順に積層し便座となるものが知られている（例えば特許文献１参照）。
【先行技術文献】
【特許文献】
【０００３】
【特許文献１】特開２００６−２０４４４９号公報
【発明の概要】
【発明が解決しようとする課題】
【０００４】
ところで、特許文献１に記載されている発明では、緩衝材とヒータが上側便座部材と支持部材との間に隙間なく設置される。しかし、緩衝材は使用者の臀部が接触する上側便座部材の部分に設けられれば、ヒータが支持部材に擦れることを防ぐことができる、と考えられる。従って、緩衝材の上側便座部材と支持部材との間の両側端部の部分は、ヒータが支持部材に擦れることを防ぐために設ける必要性が低い。
【０００５】
本発明は上記従来の問題点に鑑みて発明したものであって、その目的とするところは、緩衝材の使用量を減らすことができる、便座構造を提供することを課題とするものである。
【課題を解決するための手段】
【０００６】
上記課題を解決するために、本発明は、以下のような構成とする。
【０００７】
便座本体の上半部を形成する上側便座部材と、前記便座本体の下半部を形成する下側便座部材と、前記上側便座部材の裏面に固定されるヒータと、前記ヒータの裏面側に固定される緩衝材と、前記上側便座部材を支持する支持部材と、を備え、前記上側便座部材の両端と前記支持部材の両端は、前記下側便座部材の両端と接合される便座構造であって、前記緩衝材は、前記裏面に前記ヒータが固定された前記上側便座部材の裏側で、前記上側便座部材と前記支持部材との間の内周端部及び外周端部からなる前記緩衝材の非設置部を除く部分に固定され、前記上側便座部材と前記支持部材との間で、前記非設置部に空気層が形成されることを特徴とする。
【０００８】
また、前記緩衝材は、前記ヒータからの熱が前記支持部材へ伝導するのを抑制する材質で形成されることが好ましい。
【発明の効果】
【０００９】
本発明の便座構造では、緩衝材が、上側便座部材と前記支持部材との間の内周端部及び外周端部からなる、上側便座部材と前記支持部材との間の緩衝材の非設置部を除く部分に固定されるので、緩衝材の使用量を減らすことができる。
【図面の簡単な説明】
【００１０】
【図１】本実施形態の便座構造の断面図である。
【図２】本実施形態の便座構造の分解斜視図である。
【発明を実施するための形態】
【００１１】
以下、本発明を添付図面に示す実施形態に基いて説明する。
【００１２】
便座構造１は、本実施形態では、図１、２に示すように、便座本体２を備える。便座本体２は、本実施形態では、便座本体２の上半部を形成する上側便座部材２１と、便座本体２の下半部を形成する下側便座部材２２と、を備える。
【００１３】
上側便座部材２１は、本実施形態では、下方に開口した断面視略Ｕ字状の帯体が平面視略楕円形又は略Ｕ字状に連続して形成される。上側便座部材２１の外周側側面は、本実施形態では、図１に示すように、上方に行く程内周側に位置するように湾曲する。上側便座部材２１の上面は、本実施形態では、使用者の臀部に沿うように、外周端から内周端に行く程下方に位置するように傾斜する。上側便座部材２１の内周側側面は、本実施形態では、下方に行く程内周側に位置するように湾曲する。なお、上側便器部材の形状は、上記したものに限定されない。
【００１４】
上側便座部材２１は、射出成形法や真空成形法によって形成されるが、製造方法は限定されない。上側便座部材２１は、合成樹脂材（例えばポリプロピレン材）によって形成されるが、材質は限定されない。上側便座部材２１は、本実施形態では、全体に亘ってほぼ等しい肉厚となっており、その厚みは薄肉（例えば１ｍｍ）に形成される。上側便座部材２１の厚みは、材質の特性によって異なる。
【００１５】
上側便座部材２１の後端部には、図２に示すように、図示しない便器本体の後部に回動自在に取付けられる一対の枢支部２１ａが設けられる。
【００１６】
下側便座部材２２は、上方に開口した断面視略Ｕ字状の帯体が平面視略楕円形又は略Ｕ字状に連続して形成される。下側便座部材２２の外周側側面は、本実施形態では、図１に示すように、下方に行く程内周側に位置するように湾曲する。下側便座部材２２の下端部は、本実施形態では、図示しない便器のボウルの上端部に設けられるリム部と当接する平坦部２２ａと、内周側端部に下方に突出しリム部の内周側側面と当接する突出部２２ｂと、を有する。下側便座部材２２の内周側側面は、本実施形態では、上方に行く程内周側に位置するように湾曲する。なお、下側便座部材２２の形状は、上記したものに限定されない。
【００１７】
突出部２２ｂが設けられることにより、平坦部２２ａの下面とリム部の上面との間に、用便や水等が浸入し難くなり、平坦部２２ａの下面とリム部の上面を清潔に保つことができる。
【００１８】
下側便座部材２２は、射出成形法や真空成形法によって形成されるが、製造方法は限定されない。下側便座部材２２は、合成樹脂材によって形成されるが、材質は限定されない。
【００１９】
便座構造１は、本実施形態では、図１、２に示すように、上側便座部材２１の裏面に固定されるヒータ３を備える。
【００２０】
ヒータ３はシート状のヒータ３を用い、上側便座部材２１の表面を均一に昇温させるため、上側便座部材２１の裏面に沿うように接着剤により固定される。ヒータ３は、上側便座部材２１の裏面の全体に亘って設けられてもよい。しかし、ヒータ３は、上側便座部材２１の表面の臀部が接触し撓む部分の裏面に固定される方が好ましい。
【００２１】
ヒータ３は、商用電源等の電力を供給する電力供給部（図示せず）に接続される。ヒータ３には、ヒータ３と電気的に接続されるサーモスタット及び、温度ヒューズが設けるのが好ましく、温度の過度の上昇が防止される。
【００２２】
シート状のヒータ３の加熱方式は、対象物に接して加熱する接触加熱や離れたものに熱を放射する輻射加熱、といったものがある。接触加熱のヒータには、パイプ等の曲面に対応するフレキシブルな部材であるポリイミドヒータや、板状になっているマイカヒータなどがある。輻射加熱のヒータには、アルミヒータ、セラミックヒータ、等といったものがある。なお、本実施形態のヒータ３は、これらに限定されるものではなく、最適なものが適宜用いられる。
【００２３】
便座構造１は、本実施形態では、図１、２に示すように、ヒータ３の裏面側に固定される緩衝材４と、上側便座部材２１を支持する支持部材５と、を備える。
【００２４】
緩衝材４は、本実施形態では、図１に示すように、裏面にヒータ３が固定された上側便座部材２１の裏側で、上側便座部材２１と支持部材５との間の内周端部及び外周端部からなる緩衝材４の非設置部６１を除く部分に固定される。緩衝材４は、本実施形態では、接着剤によりヒータ３の裏面に固定される。緩衝材４は、上側便座部材２１の裏面の内周端と外周端との間の中間部にヒータ３を介して固定される。緩衝材４は、上側便座部材２１に荷重がかかり、上側便座部材２１と共に撓むヒータ３が支持部材５と接触し、ヒータ３が支持部材５と擦れることにより、ヒータ３が断線することを防止する。
【００２５】
上側便座部材２１と支持部材５との間で、非設置部６１に空気層が形成される。非設置部６１は空気層なので、ヒータ３からの熱を断熱することができる。
【００２６】
緩衝材４は、ゴム、エラストマー、といった軟質材料であればよいが、更にヒータ３からの熱が支持部材５へ伝導するのを抑制する材質で形成されるのが好ましい。緩衝材４は、例えばフェルトといった断熱性と緩衝性を持つ材質で形成されることが好ましい。これにより、ヒータ３が支持部材５と擦れて断線することを防止でき、ヒータ３で発生した熱を支持部材５へ伝導することを抑制するので、上側便座部材２１の表面を効率よく温めることができる。なお、フェルトを例示したが材質はこれに限定されるものではない。しかし、フェルトは、他の材料に比べて皺になり難く、伸縮する、という特性を有しているので、緩衝材４の材質として好適に用いられる。
【００２７】
支持部材５は、薄肉に形成される上側便座部材２１に荷重がかかり、上側便座部材２１が撓んだ際に、この撓みが限界範囲を超え、上側便座部材２１が壊れることを防止するために設けられる。
【００２８】
支持部材５は、本実施形態では、図１に示すように、下方に開口した断面視略Ｕ字状の帯体が平面視略楕円形又は略Ｕ字状に連続して形成される。支持部材５の外周側側面は、本実施形態では、図１に示すように、上方に行く程内周側に位置するように湾曲する。支持部材５の上面は、本実施形態では、外周端から内周端に行く程下方に位置するように傾斜する。支持部材５の内周側側面は、本実施形態では、下方に行く程内周側に位置するように湾曲する。なお、支持部材５の形状は、上記したものに限定されない。
【００２９】
支持部材５は、本実施形態では、合成樹脂で形成されることが好ましいが、材質は限定されない。
【００３０】
支持部材５と緩衝材４とは固定されておらず、本実施形態では当接している。なお、支持部材５と緩衝材４との間には、所定の間隔の隙間が設けられてもよい。これにより、過大な荷重がかかったとき緩衝材４が支持部材５に接触するので、ヒータ３が更に断線し難くなる。隙間の所定の間隔は、例えば１．０ｍｍ〜２．０ｍｍであることが好ましいが、上側便座部材２１の材質の特性によって異なる。
【００３１】
上側便座部材２１の両端と支持部材５の両端は、本実施形態では、図１に示すように、下側便座部材２２の両端と接合される。上側便座部材２１の外周側の下端面と支持部材５の外周側の下端面とは、下側便座部材２２の外周側の上端面と接合される。上側便座部材２１の内周側の下端面と支持部材５の内周側の下端面とは、下側便座部材２２の内周側の上端面と接合される。上側便座部材２１と支持部材５と、下側便座部材２２とは、例えば振動溶着により接合されるのが好ましい。なお、上側便座部材２１と支持部材５と、下側便座部材２２とが、接合される方法は限定されない。
【００３２】
上記した構成の便座構造１の製造方法について示す。
【００３３】
作業者は、上側便座部材２１の裏面にヒータ３を接着剤により固定し、さらにヒータ３の裏面に緩衝材４を接着剤により固定する。作業者は上側便座部材２１の内部空間に支持部材５を挿入し、必要があれば、上側便座部材２１の両端と支持部材５の両端とを固定する。そして作業者は、上側便座部材２１と支持部材５の両端と、下側便座部材２２の両端とを接合する。
【００３４】
以上のような構成の便座構造１では、緩衝材４が、上側便座部材２１と支持部材５との間の内周端部及び外周端部からなる緩衝材４の非設置部６１を除く部分に固定されるので、緩衝材４の使用量を減らすことができる。また、緩衝材４は上側便座部材２１にヒータ３を介して接着剤等で固定されるので、緩衝材４を動き難くすることができる。
【００３５】
本実施形態の便座構造１は、以下のような構成となる。
【００３６】
便座構造１は、便座本体２の上半部を形成する上側便座部材２１と、便座本体２の下半部を形成する下側便座部材２２と、を備える。便座構造１は、上側便座部材２１の裏面に固定されるヒータ３を備える。便座構造１は、ヒータ３の裏面に固定される緩衝材４と、上側便座部材２１を支持する支持部材５と、を備える。便座構造１は、上側便座部材２１の両端と支持部材５の両端は、下側便座部材２２の両端と接合される。緩衝材４は、裏面にヒータ３が固定された上側便座部材２１の裏側で、上側便座部材２１と支持部材５との間の内周端部及び外周端部からなる緩衝材４の非設置部６１を除く部分に固定される。上側便座部材２１と支持部材５との間で、非設置部６１に空気層が形成されることを特徴とする。
【００３７】
これにより、緩衝材４が、上側便座部材２１と支持部材５との間の内周端部及び外周端部からなる緩衝材４の非設置部６１を除く部分に固定されるので、緩衝材４の使用量を減らすことができる。また、緩衝材４は上側便座部材２１にヒータ３を介して接着剤等で固定されるので、緩衝材４を動き難くすることができる。
【００３８】
また、緩衝材４は、ヒータ３からの熱が支持部材５へ伝導するのを抑制する材質で形成されることが好ましい。
【００３９】
これにより、ヒータ３で発生した熱を支持部材５へ伝導することが抑制されるので、上側便座部材２１の表面が効率よく温められることができる。
【符号の説明】
【００４０】
１    便座構造
２    便座本体
２１  上側便座部材
２１ａ  枢支部
２２  下側便座部材
２２ａ  平坦部
２２ｂ  突出部
３    ヒータ
４    緩衝材
５    支持部材
６１  非設置部
【図１】
2015104420.tif 000003
【図２】
2015104420.tif 000004